(57)【要約】      （修正有）【課題】撮影の開始が指示されてから放射線を照射するまでの間に検出された複数の暗電流画像に基づいて生成した補正データを用いて暗電流補正処理を実施するようにした技術を提供する。【解決手段】放射線撮影装置は、撮影の開始指示から設定手段により設定された時間が経過するまでの間、放射線検出手段による検出に基づいて複数の暗電流画像を取得する暗電流画像取得手段と、設定手段により設定された時間の経過後、放射線検出手段により検出される放射線に基づく放射線画像を取得する放射線画像取得手段と、暗電流画像取得手段により取得された複数の暗電流画像に基づいて放射線画像取得手段により取得された放射線画像に対応した補正データを生成する補正データ生成手段と、補正データ生成手段により生成された補正データを用いて、放射線画像取得手段により取得された放射線画像に対して暗電流補正処理を実施する補正手段とを具備する。【選択図】図１
2010233963.tif 000002
【特許請求の範囲】
【請求項１】
被写体を透過した放射線を検出する放射線検出手段と、
放射線画像の撮影の開始を指示する指示手段と、
前記指示手段により撮影の開始が指示されてから放射線の照射が開始されるまでの時間を設定する設定手段と、
前記指示手段による撮影の開始指示から前記設定手段により設定された時間が経過するまでの間、前記放射線検出手段による検出に基づいて複数の暗電流画像を取得する暗電流画像取得手段と、
前記設定手段により設定された時間の経過後、前記放射線検出手段により検出される放射線に基づく放射線画像を取得する放射線画像取得手段と、
前記暗電流画像取得手段により取得された複数の暗電流画像に基づいて前記放射線画像取得手段により取得された放射線画像に対応した補正データを生成する補正データ生成手段と、
前記補正データ生成手段により生成された前記補正データを用いて、前記放射線画像取得手段により取得された放射線画像に対して暗電流補正処理を実施する補正手段と
を具備することを特徴とする放射線撮影装置。
【請求項２】
前記補正データ生成手段は、
前記複数の暗電流画像の時間方向への変化を解析する解析手段
を具備し、
前記解析手段による解析結果に基づいて放射線画像に対応した補正データを生成する
ことを特徴とする請求項１記載の放射線撮影装置。
【請求項３】
前記解析手段は、
前記複数の暗電流画像の時間方向への変化を表わす関数を生成し、
前記補正データ生成手段は、
前記解析手段により生成された関数と、前記指示手段による撮影の開始指示から前記放射線画像取得手段により放射線画像の取得が行なわれるまでの経過時間とに基づいて前記補正データを生成する
ことを特徴とする請求項２記載の放射線撮影装置。
【請求項４】
前記複数の暗電流画像の時間方向への変化を表わす関数は、
前記経過時間の増加に対して、単調非増加又は単調非減少の特徴を有するとともに、前記経過時間の無限大において一定となる特徴を有する
ことを特徴とする請求項３記載の放射線撮影装置。
【請求項５】
前記設定手段は、
前記被写体に関する撮影情報に基づいて前記指示手段による撮影の開始指示から放射線の照射が開始されるまでの時間を設定する
ことを特徴とする請求項１から４いずれか１項に記載の放射線撮影装置。
【請求項６】
前記撮影情報は、
撮影手技、撮影部位、撮影体位、放射線照射条件、撮影依頼元、被写体のサイズ、被写体の年齢の少なくとも１つを含む
ことを特徴とする請求項５記載の放射線撮影装置。
【請求項７】
前記補正手段により暗電流補正処理がなされた放射線画像に対して画像処理を行なう画像処理手段と、
前記画像処理手段により処理された放射線画像を表示する表示手段と
を更に具備することを特徴とする請求項１記載の放射線撮影装置。
【請求項８】
被写体を透過した放射線を検出する放射線検出手段を有する放射線撮影装置の暗電流補正方法であって、
放射線画像の撮影の開始を指示する指示工程と、
前記撮影の開始が指示されてから放射線の照射が開始されるまでの時間を設定する設定工程と、
前記撮影の開始指示から前記設定された時間が経過するまでの間、前記放射線検出手段による検出に基づいて複数の暗電流画像を取得する暗電流画像取得工程と、
前記設定された時間の経過後、前記放射線検出手段により検出される放射線に基づく放射線画像を取得する放射線画像取得工程と、
前記暗電流画像取得工程で取得された複数の暗電流画像に基づいて前記放射線画像取得工程で取得された放射線画像に対応した補正データを生成する補正データ生成工程と、
前記生成された前記補正データを用いて、前記放射線画像取得工程で取得された放射線画像に対して暗電流補正処理を実施する補正工程と
を含むことを特徴とする放射線撮影装置の暗電流補正方法。
【発明の詳細な説明】
【技術分野】
【０００１】
本発明は、放射線画像を撮影する放射線撮影装置及びその暗電流補正方法に関する。
【背景技術】
【０００２】
放射線画像（例えば、Ｘ線画像）の撮影においては、被写体のＸ線像を取得するため、カセッテにフィルムと増感紙とを挟んだフィルム／スクリーンや、コンピューティッドラジオグラフィーで使用されるカセッテに入ったイメージプレートが使用される。
【０００３】
近年では、Ｘ線像を直接且つリアルタイムにデジタル信号に変換するＸ線検出器が提案されている。このようなＸ線検出器としては、例えば、固体光検出器とシンチレータとを積層したＸ線検出器がある。固体光検出器は、石英ガラスから成る基板上にアモルファス半導体を挟んで、透明導電膜と導電膜とから成る固体光検出素子がマトリクス状に配列されている。シンチレータは、Ｘ線を可視光に変換する。
【０００４】
また、シンチレータを用いず、固体光検出器でＸ線を直接取得するＸ線検出器も種々知られている。このようなＸ線検出器は、シンチレータを用いる場合に比べ、シンチレータにおける光の散乱の影響を受けない。そのため、一般に、解像度が良いとされる。更に、ＣＣＤやＣＭＯＳ検出器及びシンチレータを組み合わせることにより、単位時間当たりの撮影枚数を増やしたＸ線検出器も知られている。
【０００５】
一般に、これらのＸ線検出器は、Ｘ線の強度を電荷量として検出する。そのため、Ｘ線画像の取得に際しては、画素中の電荷のリセット、電荷の蓄積、画素中の電荷の転送及び一定サイクルの駆動が必要とされる。
【０００６】
Ｘ線検出器では、Ｘ線による信号電荷とともに、その蓄積時間に比例した暗電流成分の電荷が蓄積される。そのため、取得されたＸ線画像には、Ｘ線信号成分と暗電流成分とが含まれているので、Ｘ線画像の撮影に際しては、暗電流補正処理が行なわれる。暗電流補正処理では、Ｘ線を照射しない状態で暗電流成分のみの暗電流画像を取得する。そして、Ｘ線画像から当該取得した暗電流画像を差し引き、Ｘ線画像から暗電流成分を除去する。
【０００７】
ここで、暗電流画像は、上述した通り、Ｘ線を照射しない状態で取得する。そのため、静止画を撮影する場合には、一般に、Ｘ線を照射する直前又は直後に取得する。また、Ｘ線透視などに代表される動画撮影の場合には、一般に、Ｘ線像をリアルタイムに観察する必要があるため、Ｘ線を照射する前又はＸ線照射の合間に取得する。ＩＶＲ、血管造影、ＣＴなど単位時間に非常に多く（例えば、６０ｆｐｓ）の画像を取得する高速撮影の場合は、Ｘ線照射の合間に暗電流画像を取得するのが困難である。そのため、このような場合には、Ｘ線を照射する前に取得した暗電流画像を利用することが多い。
【０００８】
ところが、このようなＸ線検出器においては、一般に、駆動開始直後の暗電流成分が安定しない場合が多い。そのため、撮影画像の画質を向上させるには、駆動開始からＸ線照射までの時間をある程度確保する必要がある。一方、Ｘ線撮影装置の操作性を向上させるには、操作者によるスタートスイッチ（例えば、Ｘ線照射スイッチ）の押下とともに、速やかにＸ線照射が始まる方がよい。
【０００９】
このトレードオフを解決するため、特許文献１には、予め記憶した暗電流成分を撮影時間、固体撮像素子の温度、画素値、画素位置などに応じて変更して利用する技術が開示される。また、特許文献２には、駆動開始後に画素の特性が安定するまでの時間を複数区間に分割し、これらの区間ごとの暗電流成分を事前に測定して記憶する。そして、撮影時には、その区間ごとに対応する暗電流成分を差し引いて補正を行なう技術が開示される。
【先行技術文献】
【特許文献】
【００１０】
【特許文献１】特開平０７−２３６０９３号公報
【特許文献２】特開２００７−２２２５０１号公報
【発明の概要】
【発明が解決しようとする課題】
【００１１】
特許文献１に開示される技術のように、予め記憶した暗電流成分を撮影時の状況に合わせて変更して利用する場合、撮影時の状況を監視する必要があるので、新たな構成を設けなくてはならない。また、発生し得る全ての状況に精度良く対応して暗電流成分を変更するのは困難である。
【００１２】
特許文献２に開示される技術のように、駆動開始後の暗電流成分を区間ごとに記憶する場合、実際の撮影時の状況、例えば、撮影フレームレートや固体撮像素子の温度などに起因した誤差を十分に考慮できない。
【００１３】
また、上述したトレードオフを解決するための単純な対策として、Ｘ線検出器を常に駆動、即ち、通電し暗電流成分を安定させておけばよいが、この場合、消費電力の増加や装置寿命の短縮などが懸念される。
【００１４】
そこで、本発明は、上記問題点に鑑みてなされたものであり、撮影の開始が指示されてから放射線を照射するまでの間に検出された複数の暗電流画像に基づいて生成した補正データを用いて暗電流補正処理を実施するようにした技術を提供することを目的とする。
【課題を解決するための手段】
【００１５】
上記目的を達成するため、本発明の一態様による放射線撮影装置は、被写体を透過した放射線を検出する放射線検出手段と、放射線画像の撮影の開始を指示する指示手段と、前記指示手段により撮影の開始が指示されてから放射線の照射が開始されるまでの時間を設定する設定手段と、前記指示手段による撮影の開始指示から前記設定手段により設定された時間が経過するまでの間、前記放射線検出手段による検出に基づいて複数の暗電流画像を取得する暗電流画像取得手段と、前記設定手段により設定された時間の経過後、前記放射線検出手段により検出される放射線に基づく放射線画像を取得する放射線画像取得手段と、前記暗電流画像取得手段により取得された複数の暗電流画像に基づいて前記放射線画像取得手段により取得された放射線画像に対応した補正データを生成する補正データ生成手段と、前記補正データ生成手段により生成された前記補正データを用いて、前記放射線画像取得手段により取得された放射線画像に対して暗電流補正処理を実施する補正手段とを具備することを特徴とする。
【発明の効果】
【００１６】
本発明によれば、撮影の開始が指示されてから放射線を照射するまでの間に検出された複数の暗電流画像に基づいて補正データを生成し、その補正データ用いて暗電流補正処理を実施する。これにより、本構成を有さない場合よりも、撮影時の状況に応じた高精度な暗電流補正を実施できる。
【図面の簡単な説明】
【００１７】
【図１】本発明の一実施の形態に係わるＸ線撮影装置１００の構成の一例を示す図。
【図２】図１に示すＸ線撮影装置１００の処理の流れの一例を示すフローチャート。
【図３】暗電流画像の概要の一例を示す図。
【図４】暗電流画像内のある１つの画素の画素値が変化する概要の一例を示す図。
【図５】実施形態２に係わるＸ線撮影装置１００の構成の一例を示す図。
【図６】実施形態２に係わるＸ線撮影装置１００の処理の流れの一例を示すフローチャート。
【図７】撮影部位と照射遅延時間との対応関係の一例を示す図。
【発明を実施するための形態】
【００１８】
以下、本発明に係わる放射線撮影装置及びその暗電流補正方法の一実施の形態について添付図面を参照して詳細に説明する。なお、以下に示す実施形態においては、放射線としてＸ線を適用した場合を例に挙げて説明するが、放射線は、Ｘ線に限られず、電磁波や、α線、β線、γ線などであってもよい。
【００１９】
（実施形態１）
図１は、本発明の一実施の形態に係わるＸ線撮影装置１００の構成の一例を示す図である。
【００２０】
Ｘ線撮影装置１００は、１又は複数のコンピュータを含んで構成される。コンピュータには、例えば、ＣＰＵ等の主制御手段、ＲＯＭ（Read Only Memory）、ＲＡＭ（Random Access Memory）等の記憶手段が具備される。また、コンピュータには、ネットワークカード等の通信手段、キーボード、マウス、ディスプレイ又はタッチパネル等の入出力手段、等が具備されていてもよい。なお、これら各構成手段は、バス等により接続され、主制御手段が記憶手段に記憶されたプログラムを実行することで制御される。
【００２１】
ここで、Ｘ線撮影装置１００は、Ｘ線検出部１０１と、撮影開始指示部１０２と、照射遅延設定部１０３と、暗電流画像取得部１０４と、Ｘ線画像取得部１０５と、暗電流補正データ生成部１０６と、暗電流補正部１０７とを具備して構成される。また、Ｘ線撮影装置１００には、フレームレート設定部１１９と、Ｘ線照射部１２０と、撮影制御部１２１と、画像処理部１２２と、画像表示部１２３とが設けられる。
【００２２】
Ｘ線照射部１２０は、放射線照射部として機能し、被写体（例えば、人体）に向けて放射線（Ｘ線）を照射（曝射）する。フレームレート設定部１１９は、Ｘ線画像撮影時のフレームレートを設定する。
【００２３】
Ｘ線検出部１０１は、放射線検出部として機能し、被写体を透過した放射線を検出する。これにより、Ｘ線撮影装置１００では、被写体に基づく放射線画像（本実施形態においては、Ｘ線画像）を撮影する。撮影開始指示部１０２は、Ｘ線画像の撮影の開始を指示する。撮影開始指示部１０２による撮影の開始指示は、例えば、操作者による操作（Ｘ線曝射スイッチの押下）に基づいてなされる。
【００２４】
照射遅延設定部１０３は、撮影開始指示部１０２による撮影の開始指示からＸ線の照射が開始されるまでの時間（以下、照射遅延時間と呼ぶ）を設定する。暗電流画像取得部１０４は、撮影開始指示部１０２により撮影の開始が指示された後、照射遅延設定部１０３により設定された照射遅延時間が経過するまでの間、Ｘ線検出部１０１から複数の暗電流画像を読み出し取得する。
【００２５】
Ｘ線画像取得部１０５は、放射線画像取得手段として機能し、Ｘ線検出部１０１により検出されたＸ線に基づく１又は複数のＸ線画像を読み出し取得する。Ｘ線画像取得部１０５によるＸ線画像の取得は、照射遅延時間の経過後、Ｘ線照射部１２０によりＸ線が照射されている間、繰り返し行なわれる。
【００２６】
暗電流補正データ生成部１０６は、暗電流画像取得部１０４により取得した複数の暗電流画像に基づいて暗電流補正データを生成する。暗電流補正データは、Ｘ線画像取得部１０５により取得された１又は複数のＸ線画像各々に対応して生成される。暗電流補正データ生成部１０６には、複数の暗電流画像を解析する解析部１１０が設けられる。すなわち、暗電流補正データ生成部１０６は、この解析部１１０による解析結果に基づいて暗電流補正データを生成する。
【００２７】
暗電流補正部１０７は、Ｘ線画像取得部１０５により取得された１又は複数のＸ線画像に対して暗電流補正処理を実施し、当該Ｘ線画像から暗電流成分を取り除く。暗電流補正処理は、Ｘ線画像取得部１０５により取得されたＸ線画像から暗電流補正データ生成部１０６により生成された暗電流補正データを減算することにより行なう。
【００２８】
画像処理部１２２は、暗電流補正後のＸ線画像に対して画像処理を実施する。なお、画像処理としては、例えば、強調処理、ダイナミックレンジ圧縮処理、ノイズ低減処理、階調処理などが挙げられる。画像表示部１２３は、画像処理部１２２により画像処理されたＸ線画像の表示を行なう。
【００２９】
撮影制御部１２１は、Ｘ線撮影装置１００における撮影処理を統括制御する。なお、図１では、不図示であるが、撮影制御部１２１は、各構成部と接続されている。撮影制御部１２１は、例えば、Ｘ線検出部１０１の駆動、Ｘ線照射部１２０によるＸ線の照射、等の処理を制御する。
【００３０】
以上が、Ｘ線撮影装置１００の構成の一例についての説明であるが、この装置内に設けられる構成は、必ずしも上記図示した通りに実現される必要はない。例えば、上述した各機能構成を、複数の装置にそれぞれ配し、システムとして実現するようにしてもよい。
次に、図２〜４を用いて、図１に示すＸ線撮影装置１００における撮影処理の一例について説明する。図２は、図１に示すＸ線撮影装置１００の処理の流れの一例を示すフローチャートである。図３は、暗電流画像の概要の一例を示す図であり、図４は、暗電流画像内のある１つの画素の画素値が変化する概要の一例を示す図である。
【００３１】
この処理が開始すると、Ｘ線撮影装置１００は、まず、フレームレート設定部１１９において、Ｘ線画像撮影時のフレームレートＦｒを設定する（Ｓ２０１）。フレームレートＦｒの設定値は、撮影手技に応じて自動的に設定される。ここでは、例えば、フレームレートＦｒを６０［ｆｐｓ］に設定する。
【００３２】
フレームレートの設定が済むと、Ｘ線撮影装置１００は、照射遅延設定部１０３において、撮影の開始指示からＸ線照射開始までの時間を示す照射遅延時間Ｔｄを設定する（Ｓ２０２）。ここで、照射遅延時間を長く設定した場合には、暗電流成分の安定した状態で暗電流画像を取得できるため、撮影画像の画質が向上する。また、照射遅延時間を短く設定した場合には、Ｘ線照射が速やかに行なわれるため、操作性が向上する。照射遅延時間の設定値やその設定方法は、特に問わないが、本実施形態においては、予め定められた固定値（Ｔｄ＝０．３［秒］）を装置側で自動的に設定することとする。
【００３３】
次に、Ｘ線撮影装置１００は、撮影開始指示部１０２において、Ｘ線画像の撮影の開始を指示する（Ｓ２０３）。上述した通り、この指示は、例えば、操作者による操作（Ｘ線曝射スイッチの押下）に基づいてなされる。
【００３４】
撮影開始が指示されると、Ｘ線撮影装置１００は、撮影制御部１２１において、Ｘ線検出部１０１を駆動させる（Ｓ２０４）。また、Ｘ線撮影装置１００は、暗電流画像取得部１０４において、Ｓ２０３の処理における撮影の開始指示の後、照射遅延時間Ｔｄが経過するまでの間、Ｘ線検出部１０１により検出される複数の暗電流画像を取得する（Ｓ２０５）。図３は、ステップＳ２０５における暗電流画像の取得処理を模式的に示している。横軸は、撮影の開始指示からの経過時間を示し、Ｉｄ１、Ｉｄ２、Ｉｄ３…Ｉｄｎは、フレームレートＦｒで取得された各暗電流画像を示している。暗電流画像は、座標（ｘ、ｙ）により特定される画素の各々に画素値ｐ（ｘ，ｙ）を保持している。
【００３５】
次に、Ｘ線撮影装置１００は、解析部１１０において、複数の暗電流画像の各画素値の時間方向の変化を表わす暗電流関数Ｆｘｙ（ｔ）を生成する（Ｓ２０６）。具体的には、図４に示すように、各暗電流画像Ｉｄ１、Ｉｄ２、Ｉｄ３…Ｉｄｎ内のある座標（ｘ，ｙ）の画素値ｐ（ｘ，ｙ）を既知のデータとし、その時間方向の変化を表わす暗電流関数Ｆｘｙ（ｔ）を生成する。暗電流関数Ｆｘｙ（ｔ）は、暗電流画像における全ての座標（ｘ，ｙ）に対して生成する。
【００３６】
ここで、複数の既知のデータから近似関数（この場合、暗電流関数Ｆｘｙ（ｔ））を生成する方法は、種々知られており、その方法は特に問わない。本実施形態においては、暗電流成分の１つの代表的な特徴である経過時間の増加に対して、単調非増加又は単調非減少である特徴を有するとともに、経過時間の無限大において一定値に収束する特徴を有する近似関数を生成する。例えば、指数関数モデル「Ｆｘｙ（ｔ）＝Ａ・ｅｘｐ（Ｂ・ｔ）＋Ｃ、からＡ、Ｂ、Ｃを推定する（ｔは、撮影の開始指示からの経過時間を示す）。これにより、近似関数を生成する。ここで、Ｃは、経過時間無限大における収束値を表わしている。仮に、Ｃが既知であれば、最小二乗法によりＡ、Ｂを推定でき、また、その近似関数の適合指標の１つであるＲ−２乗値を算出できることが知られている。そこで、Ｃに対してある初期値を与え、Ｃを変化させながらからＲ−２乗値が最大となるＡ、Ｂを探索する。これにより、暗電流関数Ｆｘｙ（ｔ）を生成することができる。また、複数の関数モデルにより上記推定を行なわせ、それら関数モデルを近似関数の候補とし、その中から適合指標の優れたものを選択するようにしても構わない。
【００３７】
暗電流関数の生成が済むと、Ｘ線撮影装置１００は、Ｘ線照射部１２０において、Ｘ線の照射を開始する（Ｓ２０７）。この照射は、撮影制御部１２１からの制御に基づいて行なわれる。照射されたＸ線は、被写体（不図示）を減衰しながら透過し、Ｘ線検出部１０１に到達する。これにより、Ｘ線検出部１０１には、被写体のＸ線像を示す電荷が蓄積される。
【００３８】
Ｘ線の照射が開始すると、Ｘ線撮影装置１００は、Ｓ２０８〜Ｓ２１２までの処理を繰り返し、Ｘ線画像撮影処理を行なう。この処理は、Ｓ２０２の処理で設定されたフレームレートＦｒの頻度で実施される。Ｘ線画像撮影処理が開始すると、Ｘ線撮影装置１００は、まず、Ｘ線画像取得部１０５において、Ｘ線検出部１０１に蓄積された被写体のＸ線像をＸ線画像として取得する（Ｓ２０８）。そして、Ｘ線撮影装置１００は、暗電流補正データ生成部１０６において、Ｓ２０７の処理で生成した暗電流関数Ｆｘｙ（ｔ）と、撮影の開始指示からの経過時間ｔとに基づいて暗電流補正データを生成する（Ｓ２０９）。具体的には、暗電流画像の各座標（ｘ，ｙ）の画素各々に対応して生成された暗電流関数Ｆｘｙ（ｔ）に経過時間ｔを入力し、その出力値を求める。そして、その出力値を対応する画素の画素値として画像化する。これにより、暗電流補正データが生成される。
【００３９】
暗電流補正データの生成が済むと、Ｘ線撮影装置１００は、暗電流補正部１０７において、暗電流補正処理を実施し補正画像を得る（Ｓ２１０）。すなわち、Ｓ２０８の処理で取得したＸ線画像各々から、当該Ｘ線画像各々に対応して生成した暗電流補正データを減算する。ここで、減算とは、画像間の対応する座標の画素の画素値間演算を行なうことを指す。
【００４０】
Ｘ線撮影装置１００は、画像処理部１２２において、補正後のＸ線画像各々に対して画像処理を実施した後（Ｓ２１１）、画像表示部１２３において、当該画像処理されたＸ線画像を表示する（Ｓ２１２）。
【００４１】
その後、Ｘ線撮影装置１００は、撮影終了の指示が発生したか否かを判定する。撮影終了の指示は、例えば、操作者による操作（Ｘ線曝射スイッチの解除）に基づいてなされる。ここで、撮影終了が指示されていれば（Ｓ２１３でＹＥＳ）、この処理を終了するが、撮影終了の指示がなければ（Ｓ２１３でＮＯ）、再度、Ｓ２０８の処理に戻る
なお、撮影終了の指示は、必ずしも操作者による操作に基づく必要はなく、例えば、予め定められた撮影時間を経過した時点で自動的に撮影終了が指示されてもよい。
【００４２】
以上説明したように実施形態１によれば、撮影の開始が指示されてからＸ線を照射するまでの間に検出された複数の暗電流画像に基づいて補正データを生成し、その補正データを用いて暗電流補正処理を実施する。これにより、本構成を有さない場合よりも、撮影時の状況に応じた高精度な暗電流補正を実施できる。そのため、例えば、Ｘ線検出部を常に駆動させることにより暗電流を補正する構成においては、消費電力の増加や製品寿命の短縮を招いたが、このような問題も起こらない。また、撮影時の状況を監視するための新たな構成を設ける必要もない。
【００４３】
（実施形態２）
次に、実施形態２について説明する。図５は、実施形態２に係わるＸ線撮影装置１００の構成の一例を示す図である。実施形態１を説明した図１との相違点としては、被写体に関する撮影情報を入力する撮影情報入力部５０８が設けられている点である。なお、その他の構成は、実施形態１と同様の構成となるため、ここではその説明は省略し、相違点を重点的に説明する。
【００４４】
次に、図６及び図７を用いて、実施形態２に係わるＸ線撮影装置１００における撮影処理の一例について説明する。図６は、実施形態２に係わるＸ線撮影装置１００の処理の流れの一例を示すフローチャートである。図７は、撮影部位と照射遅延時間との対応関係の一例を示す図である。
【００４５】
この処理が開始すると、Ｘ線撮影装置１００は、まず、撮影情報入力部５０８において、装置外部（又は装置内部）から撮影情報を入力するとともに、その撮影情報を照射遅延設定部１０３に送信する（Ｓ６０１）。撮影情報とは、例えば、撮影手技、撮影部位、撮影体位、Ｘ線照射条件（放射線照射条件）、撮影依頼元、被写体（被検査体）のサイズ、被写体の年齢などが挙げられる。本実施形態においては、撮影情報が撮影部位（例えば、胸部、腹部、四肢、小児胸部、頭部）である場合を例に挙げて説明する。撮影情報の入力は、例えば、操作者による操作パネル等を介した操作に基づいて行なわれる。なお、撮影部位や撮影体位等の情報であれば、例えば、パターンマッチング処理等により装置側で自動的に認識するようにしてもよい。
【００４６】
Ｘ線撮影装置１００は、続いて、フレームレート設定部１１９において、Ｘ線画像撮影時のフレームレートＦｒを設定する（Ｓ６０２）。フレームレートＦｒの設定値は、撮影手技に応じて自動的に設定される。ここでは、例えば、フレームレートＦｒを６０［ｆｐｓ］に設定する。
【００４７】
フレームレートの設定が済むと、Ｘ線撮影装置１００は、照射遅延設定部１０３において、照射遅延時間Ｔｄを設定する（Ｓ６０３）。本実施形態においては、Ｓ６０１の処理で入力された撮影情報（この場合、撮影部位）に基づいて照射遅延時間を設定する。これにより、画質と操作性とを最適に制御する。撮影部位に基づく照射遅延時間の設定は、例えば、図７に示すテーブル等を用いて行なう。図７に示すテーブルを用いる場合、例えば、撮影部位が「小児胸部」であれば、Ｔｄ＝０．１［秒］と比較的短い時間が設定されることになる。「小児胸部」を撮影する場合、撮影開始のタイミングが重要となるためである。
【００４８】
次に、Ｘ線撮影装置１００は、撮影開始指示部１０２において、Ｘ線画像の撮影の開始を指示する（Ｓ６０４）。上述した通り、この指示は、例えば、操作者による操作（Ｘ線曝射スイッチの押下）に基づいてなされる。なお、このＳ６０４以降の処理は、実施形態１を説明した図２のＳ２０３以降の処理と同様となるため、その説明については省略する。
【００４９】
以上説明したように実施形態２によれば、撮影情報を入力し、その入力した撮影情報に基づいて撮影遅延時間を設定する。これにより、Ｘ線撮影装置の操作性とその撮影画像の画質とを両立させた撮影処理が可能になる。
【００５０】
以上が本発明の代表的な実施形態の一例であるが、本発明は、上記及び図面に示す実施形態に限定することなく、その要旨を変更しない範囲内で適宜変形して実施できるものである。
【００５１】
なお、本発明は、例えば、システム、装置、方法、プログラム若しくは記録媒体等としての実施態様を採ることもできる。具体的には、複数の機器から構成されるシステムに適用してもよいし、また、一つの機器からなる装置に適用してもよい。
【００５２】
また、上述した処理を、コンピュータにインストールされたプログラムにより実施するように構成してもよい。なお、このプログラムは、ネットワーク等の通信手段により提供することは勿論、ＣＤ−ＲＯＭ等の記録媒体に格納して提供することも可能である。
【図１】
2010233963.tif 000003
【図２】
2010233963.tif 000004
【図３】
2010233963.tif 000005
【図４】
2010233963.tif 000006
【図５】
2010233963.tif 000007
【図６】
2010233963.tif 000008
【図７】
2010233963.tif 000009